(57)【特許請求の範囲】
【請求項１】
カメラ本体の一上面となる第１の面と、
上記第１の面に配設された第１の操作スイッチボタンと、
上記カメラ本体の上面において上記第１の面とは異なる面であって、上記第１の面に対して階段状の段差を有し当該第１の面より低い位置に形成された第２の面と、
上記第２の面上に設けられ、上記第１の操作スイッチボタンを操作する同じ指で操作される位置に配設された第２の操作スイッチボタンと、
上記第２の操作スイッチボタンを操作した指の移動による上記第１の操作スイッチボタンの操作を阻止するための壁面であって、上記第１の面と上記第２の面との段差を結ぶ壁面と、
を具備したことを特徴とするカメラ。
【請求項２】
上記第１の操作スイッチボタンはレリーズボタンであり、上記第２の操作スイッチボタンはズームボタンであることを特徴とする請求項１に記載のカメラ。
【発明の詳細な説明】
【０００１】
【発明の属する技術分野】
この発明は、カメラ、詳しくはレリーズボタンやズームボタン等の操作スイッチボタンを有するカメラに関するものである。
【０００２】
【従来の技術】
周知のように、カメラにおける撮影用操作部材であるレリーズボタンは、通常、カメラ本体の上面に配設されており、また、ズームレンズを撮影光学系に有するカメラにおいては、撮影レンズの焦点距離を変更するためにズームレンズを駆動するスイッチを開閉する操作ボタン、つまりズームボタンがカメラ本体の上面に配設されている。
【０００３】
例えば、特開平９−１３３９５５号公報に示されているように、カメラ本体の上面には、レリーズボタンと焦点距離切換操作部材であるズームボタンとが並設されており、また、特開平１−３０２２３４号公報に示されているカメラでは、カメラ本体の上面にレリーズボタンが配設されると共に、平生は、カバーで覆われている操作ボタン類が配設されている。
【０００４】
【発明が解決しようとする課題】
ところで、このようにレリーズボタンとズームボタンとがカメラ本体の上面の同一面に配設されているカメラにおいては、両ボタンを片方の手の同じ指で操作するように設計されているために、ズームボタンはレリーズボタンの直ぐ横等の側近に配設されている。
【０００５】
このために、カメラの撮影操作に不慣れな人は、被写体にカメラを向けファインダを覗きながらの撮影に際して、ズームボタンとレリーズボタンとを押し間違え、不本意な撮影や迅速なシャッタレリーズ、若しくは、その逆にスムーズなズーム操作を行えないという不具合があった。特に、オートフォーカスカメラの場合には、レリーズボタンは２段押しとなっており、一段目の押下で測光，測距を行い、二段目の押下でシャッタレリーズが行われるようになっているので、撮影操作は更に煩わしくなる。
【０００６】
本発明は、上記事情に鑑みてなされたものであり、隣り合うスイッチの誤操作を防止するカメラを提供することを目的とする。
【０００９】
【課題を解決するための手段】
上記の目的を達成するために、本発明のカメラは、カメラ本体の一上面となる第１の面と、上記第１の面に配設された第１の操作スイッチボタンと、上記カメラ本体の上面において上記第１の面とは異なる面であって、上記第１の面に対して階段状の段差を有し当該第１の面より低い位置に形成された第２の面と、上記第２の面上に設けられ、上記第１の操作スイッチボタンを操作する同じ指で操作される位置に配設された第２の操作スイッチボタンと、上記第２の操作スイッチボタンを操作した指の移動による上記第１の操作スイッチボタンの操作を阻止するための壁面であって、上記第１の面と上記第２の面との段差を結ぶ壁面と、を具備したことを特徴とする。
【００１０】
【発明の実施の形態】
以下、本発明の実施の形態を、図示の例によって説明する。
図１は、本発明の第１実施の形態を示したカメラの背面側から見た外観斜視図である。この図１に示されるように、カメラ本体１の背面１ａと上面１ｂとでなす稜線部には、階段状の段差部、つまり段違いによって形成され、カメラ本体の上面とは異なる面である上面１ｃが形成されている。
【００１１】
カメラ本体１の背面１ａの中央上部には、上記上面１ｃと背面１ａとに渡ってファインダ２が配設されており、カメラ本体１の前面側の中央部には、ズームレンズを有する撮影レンズ鏡筒３が配設されている。
【００１２】
カメラ本体１の外観面の一つである上記上面１ｂ（第１の面）の右方寄りの位置には、第１の操作スイッチボタンであるレリーズボタン４が配設されている。このレリーズボタン４は、撮影レンズ中のレンズシャッタ、若しくはフィルム面の直前に配置されているフォーカルプレーンシャッタの開動作の開始を制御するものである。なお、このレリーズボタン４は、一段目の押下で測光，測距を行い、二段目の押下でシャッタレリーズ動作を行う二段押しのスイッチボタンであってもよいことは言うまでもない。
【００１３】
そして、カメラ本体１の上記レリーズボタン４が配設された上面１ｂとは異なる面である、上記段差部の上面１ｃ（第２の面）の右方寄りの位置には、第２の操作スイッチボタンであるズームボタン５が配設されている。このズームボタン５は、撮影レンズの焦点距離を変更するためのものであって、左右の上方に向けて傾斜する二つの押下部５ａ，５ｂを有しているシーソー式のスイッチボタンで形成されている。このシーソー式のズームボタン５の一方の押下部５ａを上方から下方に向けて押下すると、撮影レンズの焦点距離は望遠（テレ）側へ移動し、また、他方の押下部５ｂを上方から下方に向けて押下すると、撮影レンズの焦点距離は広角（ワイド）側へ移動してそれぞれズーム動作を行う。
【００１４】
このように構成された本発明の第１実施の形態のカメラ１においては、撮影を行うに際して、撮影者はファインダ２を覗きながらズームボタン５の一方の押下部５ａ又は他方の押下部５ｂを押してズーム操作を行う。このとき、図１に示すように、撮影者の指６（図中二点鎖線で示す）は、その先端指部分がレリーズボタン４が配設された上面１ｂと段差部の上面１ｃとを結ぶ壁面１ｄに阻止されて上面１ｂのレリーズボタン４にかかることはない。
【００１５】
次いで、撮影者の指６はレリーズボタン４を押下してシャッタレリーズ動作を行うが、このときも指６は段差部があるので、ズームボタン５にかかることはない。よって、撮影者がファインダを覗きながら、その操作を間違えるという不具合が解消される。
【００１６】
図２は、本発明の第２実施の形態を示したカメラの背面側から見た外観斜視図である。この第２実施形態のカメラは、第２の操作スイッチボタンであるズームボタン７が回転式のダイヤルボタンで構成されているところが、上記第１実施の形態のカメラと異なっている。従って、上記第１実施形態のカメラと同じ構成部材には同一の符号を付して、その説明は省略する。このことは以下に述べる第３実施形態、第４実施形態においても同様である。
【００１７】
カメラ本体１の上記レリーズボタン４が配設された上面１ｂとは異なる面である、上記段差部の上面１ｃの右方寄りの位置に配設される第２の操作スイッチボタンであるズームボタン７は、上記上面１ｃに垂直な軸中心に回動可能な設けられている。
【００１８】
そして、撮影を行うに際して、撮影者はファインダ２を覗きながらズームボタン７を、図中、左に回転させれば、撮影レンズの焦点距離は望遠（テレ）側へ移動し、また、右に回転させれば、撮影レンズの焦点距離は広角（ワイド）側へ移動してそれぞれズーム動作を行う。この第２実施形態のカメラでは、ズームボタン７の操作は親指で操作されるが、このとき、親指の先端が上面１ｂのレリーズボタン４にかかることは上記壁面１ｄに阻止される。
【００１９】
この後、レリーズボタン４が押下されてシャッタレリーズ動作が行なわれるが、レリーズボタン４は矢張り人差し指などで操作され、このときも人差し指は段差部があるので、ズームボタン７にかかることはない。よって、撮影者がファインダを覗きながら、その操作を間違えるということがなくなる。
【００２０】
図３は、本発明の第３実施の形態を示したカメラの背面側から見た外観斜視図である。この第３実施形態のカメラは、レリーズボタン４の配設箇所が上面１ｂの一部を切り欠いて形成した段差面、即ち、カメラ本体１の上面１ｂと、この上面１ｂと異なる上記上面１ｃとの間に設けられた切欠部の上面１ｅに配設されているところが、上記第１実施の形態のカメラと異なっている。
【００２１】
即ち、上記上面１ｅは、カメラ本体１の上面１ｂの右端寄りの背面１ａ側の後半部を切り欠いて、上記上面１ｃよりも上位に形成したものである。
【００２２】
また、図４は、本発明の第４実施の形態を示したカメラの背面側から見た外観斜視図である。この第４実施形態のカメラは、レリーズボタン４の配設箇所が上面１ｂの端部を切り欠いて形成した段差面、即ち、カメラ本体１の上面１ｂと、この上面１ｂと異なる上記上面１ｃとの間に設けられた切欠部の上面１ｆに配設されているところが、上記第１実施の形態のカメラと異なっている。
【００２３】
即ち、上記上面１ｆは、カメラ本体１の上面１ｂの右端部を切り欠いて、上記上面１ｃよりも上位に形成したものである。
【００２４】
このように上記第３実施形態及び第４実施形態のカメラにおいては、カメラ本体１の上方側の面の上面１ｅ，１ｆにレリーズボタン４を配設し、このレリーズボタン４が配設された面１ｅ，１ｆより低い段違いな面の上面１ｃにズームボタン５，７を配置したものである。
本発明においては、レリーズボタン４を配設する面がカメラ本体１の一番高い面でなくてもよい。
【００２５】
因みに、本発明のスイッチボタン類は公知の技術を使用できること勿論である。
【００２６】
『付記』
１．ズームレンズを有するカメラにおいて、
上記カメラの上面に設けられた第１の面と、
上記第１の面とは段差を有して設けられた上記カメラの上面に設けられた第２の面と、
上記第１の面に設けられたレリーズボタンと、
上記第２の面に設けられたズームボタンと、
を有し、ファインダを覗きながらでも、そのボタン操作を可能としたことを特徴とするカメラ。
【００２７】
２．操作スイッチを有するカメラにおいて、
上記カメラの上面に配置された第１の操作スイッチボタンと、
上記第１の操作スイッチボタンが設けられた上記カメラの上面とは異なる面であって、上記カメラの上面に設けられた第２の操作スイッチボタンと、
を有し、ファインダを覗きながらでも、そのボタン操作を可能としたことを特徴とするカメラ。
【００２８】
３．操作スイッチを有するカメラにおいて、
上記カメラの上面に配置された第１の操作スイッチボタンと、
上記第１の操作スイッチボタンが設けられた上記カメラの上面とは異なる面であって、上記カメラの上面に設けられた第２の操作スイッチボタンと、
を有することを特徴とする操作スイッチを有するカメラ。
【００２９】
４．操作スイッチを有するカメラにおいて、
上記カメラの上面に配置された第１の操作スイッチボタンと、
上記第１の操作スイッチボタンが設けられた上記カメラの上面とは異なる面であって、上記カメラの上面とは段差を有し、上記カメラの上面に設けられた面に配置された第２の操作スイッチボタンと、
を有することを特徴とする操作スイッチを有するカメラ。
【００３０】
５．操作スイッチを有するカメラにおいて、
上記カメラの上面に設けられた第１の面と、
上記第１の面とは段差を有して設けられた上記カメラの上面に設けられた第２の面と、
上記第１の面に設けられた第１の操作スイッチボタンと、
上記第２の面に設けられた第２の操作スイッチボタンと、
を有することを特徴とする操作スイッチを有するカメラ。
【００３１】
６．操作スイッチを有するカメラにおいて、
上記カメラの外観面の一面に設けられた第１の面と、
上記第１の面とは段差を有して設けられた上記カメラの上記一面に設けられた第２の面と、
上記第１の面に設けられた第１の操作スイッチボタンと、
上記第２の面に設けられた第２の操作スイッチボタンと、
を有することを特徴とする操作スイッチを有するカメラ。
【００３２】
【発明の効果】
以上説明したように、本発明によれば、ファインダを覗きながらでも、不用意に他の操作スイッチボタンを誤って操作することを防止できる。
【図面の簡単な説明】
【図１】本発明の第１の実施の形態を示したカメラの背面側から見た外観斜視図、
【図２】本発明の第２の実施の形態を示したカメラの背面側から見た外観斜視図、
【図３】本発明の第３の実施の形態を示したカメラの背面側から見た外観斜視図、
【図４】本発明の第４の実施の形態を示したカメラの背面側から見た外観斜視図、
【符号の説明】
１ …………カメラ本体
１ａ…………背面
１ｂ………上面（第１の面）
１ｃ………上面１ｂと異なる上記上面（第２の面）
１ｄ………上面１ｂと上面１ｃとを結ぶ壁面
１ｅ，１ｆ………上方側の面の上面
２ …………ファインダ
３…………撮影レンズ鏡筒
４…………レリーズボタン（第１の操作スイッチボタン）
５，７…………ズームボタン（第２の操作スイッチボタン）
【図１】
0003943705.tif 000002
【図２】
0003943705.tif 000003
【図３】
0003943705.tif 000004
【図４】
0003943705.tif 000005